Podtech/llm-jp-corpus-v4-ja_patent huggingface dataset:
(57)【要約】【課題】  従来のふとん乾燥機は、長時間運転してもダニを完全に死滅させる事が出来ないという問題があった。これは、敷ふとんと掛ふとんの間にふとん乾燥機本体と接続される通気性のある袋を入れ温風を送り込んでいるため温風が届かないふとんの裏面や四隅の部分にダニが、逃げてしまうためである。【解決手段】  ふとん乾燥機用袋を開閉式の上下二段連結出来る構造で、上段に、ふとんを出し入れ出来る構造にした。これにより、ふとん乾燥機本体から上下二段の袋に温風を送り込み、ふとんの表面裏面から内部全体まで温風が行き届き短時間でダニを完全に死滅させる事が出来る。【選択図】図３
2017042567.tif 000002
【特許請求の範囲】
【請求項１】
開閉式の上下二段に連結でき上段に、ふとんを出し入れ出来る構造で、ふとん乾燥機本体から上下二段の袋に温風を送り込めるダニ死滅ふとん乾燥機用袋
【発明の詳細な説明】
【技術分野】
【０００１】本発明は、ダニを死滅させるふとん乾燥機用袋に関するものである。
【背景技術】
【０００２】従来の家庭用のふとん乾燥機は、敷ふとんと掛ふとんの間に乾燥機本体と接続される通気性のある袋を入れふとんに温風を送り込んでいる。
【先行技術文献】
【非特許文献】
【０００３】
【非特許文献１】「ふとん乾燥機  総合カタログ２０１４」、パナソニック株式会社、２０１４年  Ｐ．１
【発明の概要】
【発明が解決しようとする課題】
【０００４】以上に述べた従来のふとん乾燥機では、敷ふとんと掛ふとんの間に乾燥機本体と接続される通気性のある袋を入れふとんに温風を送り込んでいるため、長時間運転しても、温風が届かないふとんの裏面や四隅の部分にダニが、逃げて完全に死滅させる事が出来なかった。【０００５】本発明は、このような従来の問題を解決しようとするものであり、ふとんのダニを短時間で完全に、死滅させるふとん乾燥機用袋である。
【問題を解決するための手段】
【０００６】開閉式の通気性のあるふとん乾燥機用袋を上下二段密着させて重ねる構造である。
上段のファスナーを開け、ふとんを入れた後ファスナーを閉め、ふとん乾燥機本体から上下二段の温風接続口に温風を入れる事により、ふとんの表面裏面から内部全体まで温風が行き届き短時間で、ダニを完全に死滅させる事が出来る。
【０００７】また、ふとん乾燥の時は、一段で使用出来る。
【発明の効果】
【０００８】上述したように本発明のダニ死滅ふとん乾燥機用袋は、ふとんの表面裏面から内部全体までダニを短時間で、完全に死滅させる、ふとん乾燥機を提供出来る。
【図面の簡単な説明】
【０００９】
【図１】ダニ死滅ふとん乾燥機用袋の上段袋１と下段袋２（同じ構造）を、上下連結していない平面図、正面図、側面図、裏面図
【図２】ダニ死滅ふとん乾燥機用袋の平面図、正面図、側面図
【図３】ダニ死滅ふとん乾燥機用袋にふとんを入れた時の平面図、正面図、側面図
【発明を実施するための形態】
【００１０】図面を参照して説明する。
【００１１】図１のふとん乾燥機用袋には、裏面の外側、縦横にマジックテープ４ａを縫合わせているある。
正面には、ふとんを出し入れするファスナー５を縫合わせてある。
側面には、ふとん乾燥機本体から温風を入れ込む温風接続口３を設け、ふとん乾燥機本体からの接続ホースと温風接続口３を固定するマジックテープ４ｂを付けてある。
【００１２】図１のふとん乾燥機用袋、２枚（同じ構造）を連結する。
図１のふとん乾燥機用袋の裏面を上向きにし（下段袋２）図１のふとん乾燥機用袋の裏面を下向きにし（上段袋１）マジックテープ４ａで上下連結した図２の形態にする。
【００１３】図３の上段袋１のファスナー５を開き、上段袋１にふとん６を入れファスナー５を閉じ、ふとん乾燥機本体から温風を入れ込む接続ホース２本を上段袋１、下段袋２の温風接続口３に入れマジックテープ４ｂで袋が密閉するように固定する。
【００１４】ふとん乾燥機本体から温風を上段袋１、下段袋２に送り込み、ふとんの表面裏面から内部全体まで温風が行き届き短時間で、ダニを完全に死滅させる事が出来る。
【００１５】また、ふとん乾燥の時は、上段袋１、下段袋２のどちらか一段で使用出来る。
【符号の説明】
【００１６】１    上段袋
２    下段袋
３    温風接続口
４ａ  マジックテープ
４ｂ  マジックテープ
５    ファスナー
６    ふとん
【図１】
2017042567.tif 000003
【図２】
2017042567.tif 000004
【図３】
2017042567.tif 000005
(57)【要約】      （修正有）【課題】従来、破棄されることの多かった鶏手羽先の細い方から第一関節までを食べられることが出来るようにする、鶏手羽先の骨を砕く道具を提供する。【解決手段】長方形の板１二枚の短手側一ヶ所を、上下に動くようにピン３でつなぎ支点とし、その支点側の内上下それぞれに、平歯車の歯の形状に加工した直方体２を歯がかみ合うように設け、支点−力点−作用点が生まれて、テコの原理によって鶏手羽先の細い骨を簡単に砕くことができるよう構成する。【選択図】図３
2017042573.tif 000002
【特許請求の範囲】
【請求項１】
長方形の板（１）二枚の短手側一ヶ所を上下に動くようにつないだ支点側の内上下それぞれに、平歯車の歯の形状に加工した直方体（２）を設けた鶏手羽先の骨を砕く道具。
【発明の詳細な説明】
【技術分野】
【０００１】  この発明は、鶏手羽先の細い方から第一関節までの骨を細かく砕く道具に関するものである。
【背景技術】
【０００２】  従来、鶏手羽先の骨を砕く道具は無かった。
【先行技術文献】
【特許文献】
【特許文献】不明
【０００３】
【非特許文献】
【０００４】
【非特許文献１】なし
【発明の概要】
【発明が解決しようとする課題】
【０００５】  これは、次のような欠点があった。
従来、鶏手羽先の細い方から第一関節までの部分は、細い骨があるため、まだ食べられる部分がのこっているにもかかわらず、多くは食べられずに破棄されていた。
本発明は、以上のような欠点をなくすためになされたものである。
【課題を解決するための手段】
【０００６】  長方形の板（１）二枚の短手側一ヶ所を上下に動くようにつなぎ支点とし、平歯車の歯の形状を広い一面だけに加工した直方体（２）を長方形の板（１）二枚の支点側内上下それぞれに平歯車の歯の形状に加工した直方体（２）を歯がかみ合うように設ける。
本発明は、以上の構成からなる鶏手羽先の骨を砕く道具である。
【発明の効果】
【０００７】  支点−力点−作用点が生まれ、第二種テコの原理によって鶏手羽先の細い骨を簡単に砕くことが出来る。
【図面の簡単な説明】
【０００８】
【図１】本発明の側面図である。
【図２】本発明の正面図である。
【図３】本発明の斜視図である。
【発明を実施するための形態】
【０００９】  以下、本発明を実施するための形態について説明する。
金属製又はプラスチック製の長方形の板（１）二枚の短手側一ヶ所をピン（３）で上下に動くようにつなぎ、支点側の内上下に金属製又はプラスチック製の平歯車の歯の形状に加工した直方体（２）を歯がかみ合うように接着剤で固定する。
【００１０】「他の接合方法として、長方形の板（１）二枚のつなぎ部分又は平歯全ての歯の形状に加工した直方体（２）の固定部分にボルトを使った鶏手羽先の骨を砕く道具。」
【００１１】「鶏手羽先のすべり防止のため、内上下それぞれに取り付けた平歯車の歯の形状に加工した直方体（２）の下だけに金属製又はプラスチック製の薄い板を平歯車の歯の形状に加工した直方体（２）の力点側に歯の上面より高く設けた鶏手羽先の骨を砕く道具。」
本発明は、以上のような構造である。
これを使用するときは、鶏手羽先の骨を砕く道具を平らな場所に置き、歯と歯の間に鶏手羽先の細い方から第一関節までを入れて、支点の反対側の力点を下に押して鶏手羽先の骨を砕けばよい。
【符号の説明】
【００１２】  １長方形の板
２平歯車の歯の形状に加工した直方体
３ピン
【図１】
2017042573.tif 000003
【図２】
2017042573.tif 000004
【図３】
2017042573.tif 000005
(57)【要約】      （修正有）【課題】調理作業（特に麺類）時の安全と安心な作業を提供する。【解決手段】下鍋に泡出口２と復水穴２−１を具備させ、ガイドを有しリンク６を設け上蓋４に、摘み具５系着させたことを特徴とした、吹き零れ防止二重鍋蓋である。【選択図】図−１
2017042572.tif 000002
【特許請求の範囲】
【請求項１】
下蓋（１）に泡出口（２）と、復水穴（２−１）を有し、ガイド（３）を具備させ、上蓋（４）に摘み具（５）を具備させ、下蓋（１）に複数のリンク（６）を有した事を特徴とした、吹き零れ防止二重鍋蓋。
【発明の詳細な説明】
【技術分野】
【０００１】従来の鍋での調理時に吹き零れ防止二重鍋蓋を使用し調理時の安全、安心と省エネを提供する。
【背景技術】  吹き零れ防止案件としては、特開２０１５−２００５４は鍋に吊り下げて、中央部穴を設け支点で蓋を開閉させ、特開２０１１−１６０９１０も中央部に穴を設ける構造で、調理時の内部温度が放散す、実案登録第３１２４６１２号は鍋蓋本体に穴加工してあり、その鍋専用の使用であり、調理が限定される。
【発明の開示】
【０００３】上述の欠点を解決する為に、従来使用し既存する鍋に、蓋のみを取り替える事で、調理実施時の安全と、安心を提供できる。
【課題を解決するための手段】
【０００４】［請求項１］の下蓋（１）は泡出口（２）と復水穴（２−１）を有し、ガイド（３）を具備させ、上蓋（４）掴み具（５）を系着させ、下蓋（１）に複数のリンク（６）具備させた事を特徴とした、吹き零れ防止二重鍋蓋
【発明の効果】
【０００５】現在、市販及び公開されている吹き零れ防止の器具は鍋底に整地させる器具や鍋の形体を成型させた鍋等が市販されているが、鍋本体の成型鍋は価格が高く、鍋底に置く器具は調理時の食材を掻き混ぜる作用で器具が移動し食材が絡みつき取り外すに面倒である。
本発明の効果としては、
▲１▼繰り返しの使用が可能である。
▲２▼既存の鍋に使用が可能である。
▲３▼鍋本体のサイズが変更しても一つの二重鍋蓋の使用される。
▲４▼調理時に下鍋の泡で鍋内の温度を保つ。
▲５▼下鍋に集積した泡は空気に触れると還元され、復水として鍋内部に流入にて煮汁を安定させる。
▲６▼調理用のコンロや、周囲を煮汁で汚さない。
▲７▼調理時に放散熱を減少させ、省エネ、調理時間の短縮に貢献される
【発明を実施するための最良の形態】
【００６】以下図を参照しながら説明すると、麺類の茹で作業を仮定すると、［図−１］の下鍋（１）のリンク（６）に適合する調理用鍋を選定し調理する、鍋に水を八合目入れて既設の鍋蓋をはずして、本発明の二重鍋蓋を使用し、湯が沸湯すると［図−２］の下蓋（１）の泡出口（２）より内圧の蒸気が噴出し上蓋（４）は蒸気圧にて、［図−２］下蓋（１）のガイド（３）を介して上昇し、上蓋（４）はカタカタ（Ｄ）振動させ、周囲に沸湯を知らせ、上蓋（４）の摘み（５）を強くはさんで、持ち上げると二重蓋は鍋（７）から離脱し、鍋（７）に麺を入れて下蓋（１）のみを鍋の本体に被せ、しばらくすると［図−３］下鍋（１）の泡出口（２）より、泡（Ｅ−１）排出され，
外気に触れた泡（Ｅ−１）は還元されお湯となり復水穴（２−１）より鍋内に流入し、鍋（７）の煮汁になり、下鍋（１）の泡出口（２）の泡は、下鍋（１）の泡出口（２）全体に噴出し・鍋内の温度を保温し煮で汁の温度の放散は防止され、熱源の省エネと茹で時間が短縮される。
下鍋（１）は、ガイド（３）方向に傾斜させれば泡の復水効果は向上する。
鍋内部の沸湯は、従来は鍋蓋の隙間から、放散され、幼児等は火傷の危険性がある。
湯沸しのヤカンには沸湯を報知させる機能を有す商品があるが、鍋には報知する商品は無い。
（
【図面の簡単な説明】
【０００９】
【図−１】  本発明の側面断面図
【図−２】  本発明の上蓋作動図
【図−３】  本発明の泡の詳細図
【符号の説明】
【００１０】下蓋（１）  泡出口（２）  泡の復水孔（２−１）  下鍋ガイド（３）  上蓋（４）  上蓋摘み具（５）  リンク（６）  リンクの詳細例  鍋外周２４ｃｍ（Ａ）２２ｃｍ（Ｂ）２０ｃｍ（Ｃ）（７）鍋鍋内圧にての上蓋の移動詳細（Ｄ）  鍋内の湯面（Ｅ）  下鍋に集積した泡（Ｅ−１）
【図−１】
2017042572.tif 000003
【図−２】
2017042572.tif 000004
【図−３】
2017042572.tif 000005
(57)【要約】【課題】足のむくみ具合を数値に表わす事で、健康管理に関心を持ち、体重管理に即応用でき、美脚願望も果たせる、むくみ計を提供する。【解決手段】水で満杯になった容器１に両足を入れると、足の体積分だけ水が排出され、次に脚を容器から出すと、排出された水量分だけ水面は下がり、満杯時からの下降分を図２のスケールで計測するむくみ計を特徴とする。【選択図】図１
2017042571.tif 000002
【特許請求の範囲】
【請求項１】
足収納容器１の上辺の一部に水準器２とスケールを落とし込む穴１１を設ける事を特徴とする、むくみ測定容器。
【請求項２】
足収容容器１の上辺の一部に水を排出する穴４、又は切り込み３を入れる事を特徴とする、むくみ測定容器。
【請求項３】
足収容容器１の側面部分を透明にして中の水位が解るようにスケール８を設ける事を特徴とするむくみ測定容器。
【請求項４】
足収容容器１の上辺、穴４，切り込み３に引っ掛けて水面に落とし込むスケール９で、スケール面７と平行して水感知シール６を設ける事を特徴とする水位測定スケール。
【請求項５】
浮き５の上面に垂直にスケールを設ける事を特徴とした水位測定スケール。
【請求項６】
スケール落とし穴１１から落とし込む水位測定スケールで、スケール本体の上部にストッパー部１０，スケール面７に平行に、水に反応する水感知シール６を設ける事を特徴とする水位測定スケール。
【発明の詳細な説明】
【技術分野】
【０００１】  本発明は、従来足のむくみを見る場合、指で押したり、体脂肪計を利用したりするが、いずれも正確性が無かった。本発明は、体で一番むくみが現れる足のむくみ度合いを数値的に表わす事で、より体調管理に関心を持つ事ができる。
【背景技術】
【０００２】  体水分量は、市販されている、体脂肪計付き体重計で計測できるが、製造メーカーにより、その数値は、まちまちである。本発明は、体内水分が、一番集まり易い足の部分の体積量を直接計測する事で適正な体水分量であるか，否であるか定期的に計測する事で時系的に判断できる。
【発明の概要】
【０００３】  本発明は、両足の膝上位までを収容できる容器１の上辺部分の一部に穴４、又は切り込み３を入れる。その容器に、お風呂の残り湯などを容器容量以上に注入すると、水は排出され容器の上辺部、穴の下部、切り込み部分の下部の位置に水面は，常に一定に保たれる。この点を基準点１２とする。水面が安定した時点で両足を容器に入れる。水に浸かった足の体積分だけ容器から水は排出され、穴の下部、切り込みの下部の位置で水の排出は止まる。容器から足を出すと、水面は下がり、基準点からの下降分だけ、水は排出された事になり、容器に入れた足の体積分に相当する。スケールで基準点からの下降度を実測する事で、日々の足の状態を数値の上から実感できる。なお、容器の上辺部の穴、切り込み細工をせず、上辺部そのものを基準点にしてもむくみ度測定は可能である。この場合は、容器の設置をより水平にする事で正確度が保たれる。水準器２はその為のものである。
【発明が解決しようとする課題】
【０００４】従来、足のむくみ具合を判断する場合、医者なら指で押してみて、むくみがありますね、とか、体脂肪計付き体重計で計測する方法がありますが、いずれも具体性に欠け、出る数値もマチマチだった。本発明は、足の体積を数値で示す事で、より実感性を持ち、健康管理に結びつく。
【課題を解決するための手段】
【０００５】両足の膝上位までを収容できる容器１の上辺部分に水準器２，水の排出用の穴４，又は同じく排出用の切り込み３，を設けて基準点にする。両足を入れれと、足の体積分だけ、容器の上辺、穴、切り込み部分から水は排出され、やがて排出は止まる。足を出すと水位が下がり、基準点からの距離を計測することで、足の体積が判明する。基準点からの距離を計測する方法として、浮き５の上面に直立したスケールを設けた計測用器、又は容器上辺から落とし込むスケール付きの計測用器を用意する。本発明は、以上の構成よりなる、足のむくみ度計である。
【発明の効果】
【０００６】むくみ度を具体的に数値で表わす事で、体調管理が容易になる。スケールの精度を上げると、１００ｇ，１００ｃｃ以下まで測定可能。朝夕のむくみの違いがはっきり判別できる。
【図面の簡単な説明】
【０００７】
【図１】本発明の容器の斜視図である。
【図２】本発明のスケールの斜視図である。
【発明を実施するための形態】
【０００８】  以下、本発明を実施するための形態について説明する。
容器１を風呂場に設置して、風呂の残り湯を注ぎ込む。図１−１，図１−３の場合は、容器上辺からあふれ出し、やがて水の排出は止まり、基準点は容器上辺の１２となる。図１−２の容器の場合は、切り込み部分３の下部、穴４の下部が基準点１２となる。水面が落ち着いたら、両足を容器に入れる。水に浸かった足の体積分だけ水は排出され、排出が止まった事を確認して、足を引き抜く。排出された分だけ水位は下がる。基準点１２から、水面までの間隔の値が足の体積に比例する。間隔の計測方法は、浮き５に垂直に立てたスケールで計る方法、鍵型の付いたスケールで計る方法、又は図１−３の様に容器１の側面に透明な部分を設け、水面が直接見える構造にして、そこにスケールを貼り付け、又は刻み込んで、水位を読み取る方法がある。鍵付きスケールは、鍵の部分を容器の上辺部分に挟み込み、水面にスケール部分を落とし込む様にするが、スケール面には水に反応する水感知シール６を設けてあり、スケールの数値が読み取り容易である。
【符号の説明】
【０００９】  １    足収納容器
２    水準器
３    切り込み  水排出部
４    穴  水排出部
５    浮き型スケールの浮き
６    水感知シール
７    スケール面
８    容器１の側面の透明部分に付けたスケール
９    容器周辺の上部、切り込み３の下部、穴４の下部に引っ掛ける鍵型スケール
１０  落とし込みスケールのストッパー部分
１１  落とし込みスケールの落とし穴
１２  基準点
【図１】
2017042571.tif 000003
【図２】
2017042571.tif 000004
(57)【要約】      （修正有）【課題】風が強くなくとも、回転するインテリアを提供する。【解決手段】上磁石５、下磁石６、また、本体を外ポット３、中ポット４からなる二重のポットで構成し、内側の中ポット４が風により重心が不安定化し、回転接結部での、各つるし紐２の張力が変動することで下磁石が回転し、本体の回転力に結び付く。【選択図】図１
2017042577.tif 000002
【特許請求の範囲】
【請求項１】
二重のポットから構成され、内部のポットの傾きで本体が回転するおもちゃ
【発明の詳細な説明】
【技術分野】
【０００１】本発明は、主に室内インテリアとしての活用を目的とする、重心の偏り及び風力を利用した回転飾り装置である。
【背景技術】
【０００２】本発明の前身技術に以下の先行技術文献がある。
【先行技術文献】
【０００３】
【特許文献１】特開２０１１−２４９６８（Ｐ２０１１−２４９６８Ａ）公開日  平成２３年２月１０日（２０１１．２．１０）
【発明の概要】
【発明が解決しようとする課題】
【０００４】特許文献１は、風を利用し、回転するインテリアであるが、風が弱い場合は十分な回転力が得られない。
【課題を解決するための手段】
【０００５】本考案は、風を受けた回転力のほか、自重の重心の偏りを利用し、回転力に結び付ける。
【発明の効果】
【０００６】風受けの羽を設けずとも、また、インテリアを回転させるほど、風が強くなくとも、インテリアが回転する。
【発明を実施するための最良の形態】
【０００７】図１のとおり、インテリアを回転接続部、つるし紐、外ポット、中ポットで構成する。回転接続部は２つの磁石の接合体であり、紐以下、インテリア本体の落下を防ぎつつ、本体の水平方向の回転を可能にする。紐は外及び中ポットの回転力を接続部の２つの磁石のうち、下磁石に伝えることが可能な弾力性のある素材とする。外ポットは、水平のある一方向に孔を穿ち、中ポットの回転起動軸の先端が納まるようにする。中ポットは上部両端に回転起動軸を備え、底には重量を支えるための中ポットの傾斜に耐えうる支持体を備える。外ポットに通された中ポットの回転起動軸の先端は固定されていないため、風などの振動により、回転起動軸を支点に、自重により傾斜・回転する。以上の仕組みにより、風によるわずかな振動や傾斜により、中ポットの重心の位置は不安定化し、回転接続部での各つるし紐の張力が変動することで、下磁石が回転する。
【産業上の利用可能性】
【０００８】装飾用インテリアとして、本発明に付した装飾や運動の様子を鑑賞する。
装飾には、中ポットに重量の軽い花や植木を配すなど、装飾に利用者の工夫が望める。
【図面の簡単な説明】
【０００９】
【図１】
2017042577.tif 000003
【図２】
2017042577.tif 000004
【符号の説明】
【００１０】１  回転接続部、２  つるし紐、３  外ポット、４  中ポット、５  上磁石、６  下磁石、７  回転起動軸、８  中ポット支持体
【図１】
2017042577.tif 000005
【図２】
2017042577.tif 000006
【手続補正書】
【提出日】平成27年10月28日(2015.10.28)
【手続補正２】
【補正対象書類名】明細書
【補正対象項目名】０００９
【補正方法】変更
【補正の内容】
【０００９】
【図１】本発明を横方向、本体上部付近から俯瞰した図。
【図２】本発明の二重ポットのうち、中ポットを斜め上方向から見た図。
(57)【要約】      （修正有）【課題】治療器と言えば一般的に大型機器が多くある中、日常生活の中で自然体の姿でらくらくと自宅でゆっくりと遠赤外線治療ができる医療用遠赤外線スリッパを提供する。【解決手段】カーボン粉末とカーボン板から放射される遠赤外線がスリッパの底部から足裏を温めるように、スリッパ底部内にカーボン粉末とカーボン板を埋め込み、さらに電極２線を設け、固定用電源として３Ｖアダブター、移動用電源として充電式乾電池３Ｖを使用して通電する構成とする。【選択図】図３
2017042578.tif 000002
【特許請求の範囲】
【請求項１】
スリッパ底部内にカーボン粉末とカーボン板を埋め込み、これに電極２線を設け、固定用電源は３Ｖアダブター、移動用には充電式乾電池３Ｖの電源で４０度〜４５度の温度を定着させカーボン粉末とカーボン板から放射される遠赤外線が医療用スリッパの底部から足裏を温め遠赤外線治療目的に行う。遠赤外線医療用スリッパを提供するものである。
【発明の詳細な説明】
【発明の詳細な説明】
【０００１】
【技術分野】
【０００２】本発明は電源３Ｖ通電でカーボン粉末とカーボン板から放出される遠赤外線をスリッパの底中央部に内蔵、足裏を４０度〜４５度の安定した温度で温めカーボンから放射される遠赤外線が全身に血流を促す目的に開発された医療用スリッパ、本案のスリッパは腰かけ固定治療から移動用は充電式乾電池電源３Ｖで３〜４時間終始足裏を遠赤外線で温めることで身体全体を温める治療をする目的で開発されたものである。
【背景技術】
【０００３】上履きスリッパ本来の目的は土足を避け上履きとして使用されていたが、本案のスリッパは上履きの腰かけ静止治療から室内移動中の場合は乾電池で安全に足裏を４０度〜４５度の快適温度に保持された医療用スリッパ楽遠温は遠赤外線で温かく治療を行うことができる。
【発明の開示】
【発明が解決しようとする課題】
【０００４】足裏は人間の第２の心臓とも言われているツボを温熱遠赤外線で足裏を温めることにより足裏から全身に血液の循環を促し足の冷え、足のこわばりを遠赤外線治療用スリッパを履くことにより身体全体がじんわりと温まり心身ともにリラックス状態が保持される。
【発明の実施形態】
【０００５】以下、本発明の実施形態について説明する
【発明の効果】
【０００６】本発明は通常上履きとして使用されているスリッパの底中央部にカーボン粉末とカーボン板を挿入させ電源３Ｖを通電させると４０度〜４５度の安定した温度を保ち遠赤外線が放射され、足裏から血流を促し身体全体が遠赤外線で効率よく温め足腰の痛みを解消する。
本案は上履きスリッパ、外履きスリッパ、靴底、腰バンド、肩バンドと多岐にわたり身体の各部分をピンポイントで遠赤外線の放射治療によって痛みの緩和と身体の部分治療が可能で、低電圧、低温で高遠赤外線放射効果が認められ、安全安心と長期に渡り独自で治療することが可能です。
【図面の簡単な説明】
【０００７】
【図１】本発明の正面図
【図２】本発明の斜視図
【図３】本発明のカーボン発熱体埋め込み横断面図
【図４】本発明の携帯用単三３本収納ケース
【符号の説明】
【０００８】  １、  スリッパ本体
２、  スリッパ底部埋め込みカーボン板
３、  スリッパ埋め込み配線
４、  スリッパ外部電源コード
５、  差し込みソケット
６、  単三３本電池ケース
７、  電源スイッチ
８、  電源残量表示ランプ
【図１】
2017042578.tif 000003
【図２】
2017042578.tif 000004
【図３】
2017042578.tif 000005
【図４】
2017042578.tif 000006
(57)【要約】【課題】歯みがき時みがき液がブラシ柄を伝い落ち手が汚れ不潔だった。【解決手段】上記を防止するため歯ブラシ柄の途中に液タレ止めキャップを取付け、液流れをストップさせる液タレ止めキャップ付き歯ブラシ。【選択図】図３
2017042574.tif 000002
【特許請求の範囲】
【請求項１】
歯ブラシ柄の中間にタレ止め椀型キャップを取り付けた液タレ止めキャップ付き歯ブラシ。
【請求項２】
ブラシ本体は上部ブラシ、タレ止めキャップ、下部ホルダーから成った請求項１の液タレ止めキャップ付き歯ブラシ。
【発明の詳細な説明】
【技術分野】
【０００１】本発明は歯ブラシ柄の途中にタレ止めキャップを取り付けたもの。
【背景技術】
【０００２】歯みがき時、柄を伝って流れ落ちる磨き液が手を汚し不潔だった。
【発明の概要】
【発明が解決しようとする課題】
【０００３】歯みがき時、磨き液による手の汚れを解決するためこの発明はなされた。
【課題を解決するための手段】
【０００４】歯ブラシ柄の中央に椀型キャップを取り付け廃液を受け止めるようにした。具体的には、ブラシを３分割し、上部ブラシ部と下部ホルダーの間にタレ止めキャップを挟み込むように設ける。
【発明の効果】
【０００５】歯みがき時、手の汚れの心配はなくなり、且つ歯ブラシ全体が長く太くなっているので、ほんの僅かの力で歯みがきが可能になった。
キャップに溜まった廃液は毎回水道水で簡単に洗浄出来るが、取替えや精密洗浄のため本体を３分割できキャップを簡単に取り外すことが可能です。
このキャップは電動歯ブラシにも使用出来ます。
【発明を実施するための形態】
【０００６】以下本発明の実施の形態を説明する。歯ブラシ本体（４）は上部ブラシ（１）と下部ホルダー（３）及び椀型タレ止めキャップ（２）の３点より構成されている。組付は上部ブラシ（１）のメス穴（５）に下部ホルダーの差し込み金具（６）を差し込み接続します。その折両者の中間にタレ止めキャップ（２）を挟み込みます。
またタレ止めキャップ（２）は液があふれないよう十分な大きさにしているがブラシ部との距離を確保しているため歯みがきに全然支障はない。
本発明は以上の構成からなるが、タレ止めキャップ（２）に流れ入った廃液を毎回水道水で洗い流してください。従来の歯ブラシに比べ本体が長く、太くなっているのでブラシ立てに入り難いので、コップに立てて入れて下さい。
【図面の簡単な説明】
【０００７】
【図１】本発明の正面図
【図２】本発明の側面図
【図３】本発明の分解図
【符号の説明】
【０００８】１．上部ブラシ、２．タレ止めキャップ、３．下部ホルダー
４．歯ブラシ本体  ５．メス穴  ６．差込金具
【図１】
2017042574.tif 000003
【図２】
2017042574.tif 000004
【図３】
2017042574.tif 000005
(57)【要約】【課題】本考案は、ショーツの腹部、尻当て部、マチ部に柔らかさと通気性に優れた防水生地を縫い付けたサニタリーショーツに関する。【解決手段】前身頃２にマチ部３を接ぎ合わせ、マチ部３の他端に後ろ身４を連結したサニタリーショーツであって、長尺状の羽根用マチ部を有し、羽根用マチ部６の上端Ａは、前身頃２の裏面に総丈ｈの半分以上の上側に縫い付け、羽根用マチ部の下端Ｂは、後ろ身頃４の下部に縫い付けることで、羽根付きナプキン６を羽根用マチ部に、広範囲で取り付けるようにしたことを特徴とするサニタリーショーツ。【選択図】図１
2017042466.tif 000002
【特許請求の範囲】
【請求項１】
前身頃２にマチ部３を接ぎ合わせ、マチ部３の他端に後ろ身４を連結したサニタリーショーツであって、長尺状の羽根用マチ部を有し、羽根用マチ部６の上端Ａは、前身頃２の裏面に総丈ｈの半分以上の上側に縫い付け、羽根用マチ部の下端Ｂは、後ろ身頃４の下部に縫い付けることで、羽根付きナプキン６を羽根用マチ部に、広範囲で取り付けるようにしたことを特徴とするサニタリーショーツ。
【発明の詳細な説明】
【技術分野】
【０００１】
本考案は、ショーツの腹部、尻当て部、マチ部に柔らかさと通気性に優れた防水生地を縫い付けたサニタリーショーツに関する。
【背景技術】
【０００２】
就寝時・運動時など含むサニタリーショーツを必要とする時の出血が多い時、特に従来の商品では日中のデスクワークなど座っている際の前漏れに対して不十分であった。
【先行技術文献】
【特許文献】
【０００３】
【特許文献１】なし
【非特許文献】
【０００４】
【非特許文献１】なし
【発明の概要】
【発明が解決しようとする課題】
【０００５】
従来商品において後ろ漏れに重点をおき防水布を長く工夫をされているが前漏れに対する策としての防水布の面積が少ない為に役割を果たしていなかった。それと合わせ羽根用マチ部の前身頃にかかる長さが足りない為、上方向に移動させて付ける事が困難な事を追求したものである。羽根付きナプキンをずらして移動出来る範囲を長くし、前身側へ移動する事により前漏れ解消を目的としたものである。
【課題を解決するための手段】
【０００６】
前身頃２にマチ部３を接ぎ合わせ、マチ部３の他端に後ろ身４を連結したサニタリーショーツであって、長尺状の羽根用マチ部を有し、羽根用マチ部６の上端Ａは、前身頃２の裏面に総丈ｈの半分以上の上側に縫い付け、羽根用マチ部の下端Ｂは、後ろ身頃４の下部に縫い付けることで、羽根付きナプキン６を羽根用マチ部に、広範囲で取り付けるようにしたことを特徴とするサニタリーショーツである。
【発明の効果】
【０００７】
就寝時・運動時など含むサニタリーショーツを必要とする時の出血が多い時、特に長時間座っている事による前漏れを解決。
【図面の簡単な説明】
【０００８】
【図１】「図１」本発明のサニタリーショーツの構成である。（ａ）表面  （ｂ）裏面  （ｃ）後ろ身裏面「図２」サニタリーショーツの断面の模式図（ｄ）本発明のサニタリーショーツ（e） 従来のサニタリーショーツ
【図２】図２（ｄ）は、本発明のサニタリーショーツの断面の模式図で、図２(e)は、従来のサニタリーショーツの断面の模式図である。従来は図２(e)で示すように、羽根用マチ部の上端Ａから羽根用マチ部の下端Ｂの長さは短く、羽根付きナプキン７を移動できる範囲が狭く、位置調整が難しかった。本発明のサニタリーショーツでは、図２（ｄ）に示すように、羽根用マチ部の上端Ａは、図１に示すように総丈ｈの半分以上の上側の位置に羽根用マチ部の上端Ａを縫い付け、羽根用マチ部の下端Ｂは、後ろ身頃４の下部の縫い付けているので、羽根用マチ部の上端Ａと下端Ｂ以外の箇所を縫いつけない事で、羽根付きナプキン６の移動範囲を広げ、羽根用マチ部６に羽根付きナプキンを挟むとき、その挟む位置を適切な位置に設定しやすくなる。
【発明を実施するための形態】
【０００９】
図１は、本考案のサニタリーショーツの構成で（ａ）は表面、（ｂ）は前身裏面、（ｃ）は後ろ身裏面の図である。
前身頃２にマチ部３を接ぎ合わせ、マチ部３の他端に後ろ身４を連結し、前身頃２の裏面に、長尺状の羽根用マチ部６を、サニタリーショーツの総丈ｈの半分以上の上側に、羽根用マチ部の上端Ａを縫い付け、羽根用マチ部の下端Ｂは、後ろ身頃４の下部に縫い付ける。羽根付きナプキン６を、羽根用マチ部に、羽根付きナプキン６の装着テープ７が付いている箇所を羽根用マチ部の下に折り込んで固定する。
図２（ｄ）は、本発明のサニタリーショーツの断面の模式図で、図２(e)は、従来のサニタリーショーツの断面の模式図である。
従来は図２(e)で示すように、羽根用マチ部の上端Ａから羽根用マチ部の下端Ｂの長さは短く、羽根付きナプキン７を移動できる範囲が狭く、位置調整が難しかった。
本発明のサニタリーショーツでは、図２（ｄ）に示すように、羽根用マチ部の上端Ａは、図１に示すように総丈ｈの半分以上の上側の位置に羽根用マチ部の上端Ａを縫い付け、羽根用マチ部の下端Ｂは、後ろ身頃４の下部の縫い付けているので、羽根用マチ部の上端Ａと下端Ｂ以外の箇所を縫いつけない事で、羽根付きナプキン６の移動範囲を広げ、羽根用マチ部６に羽根付きナプキンを挟むとき、その挟む位置を適切な位置に設定しやすくなる。
【実施例】
【００１０】
なし
【産業上の利用可能性】
【００１１】
羽根付きナプキン６をずらして移動出来る範囲を長くし、前身側へ移動する事により前漏れが解消できるサニタリーショーツを提供する。
【符号の説明】
【００１２】
１  サニタリーショーツ
２  前身頃
３  マチ部
４  後ろ身頃
５  羽根用マチ部
６  羽根付きナプキン（点線部分）
７  装着テープ）
ｈ  総丈
Ａ  羽根用マチ部の上端
Ｂ  羽根用マチ部の下端
【図１】
2017042466.tif 000003
【図２】
2017042466.tif 000004
(57)【要約】      （修正有）【課題】パターの練習を複数回行う際、ボールをセットする時に前回の位置と同じ位置に容易にセットする事が可能であり、アドレスの感覚が崩れにくいパター用マットの提供。【解決手段】パター練習マット３は、設けられたカップ１から１ｍと２ｍのところにゴルフボールを載置するための複数の貫通穴２を設けた。【選択図】図１
2017042329.tif 000002
【特許請求の範囲】
【請求項１】
貫通穴２を数個有したパター練習マット。
【発明の詳細な説明】
【技術分野】
【０００１】
本発明は、ゴルフのパター練習の効率を高める、パター練習マットに関する
【背景技術】
【０００２】
従来、ゴルフのパター練習マットは、片側の端部にカップの穴があけてありもう片側にゴルフボールをおき、パッテイング練習をする物であるが、ボールを置く位置には印がなく自由におけるようになっている物やボールの大きさの円の両側に線を引いたものであった。
【先行技術文献】
【特許文献】
【０００３】
【特許文献１】特開2013-226329
【特許文献２】特開2014-014636
【特許文献３】実登3105963
【発明の概要】
【発明が解決しようとする課題】
【０００４】
従来、パター練習マットを利用してパターの練習をする時、マットの上にボールを置き、そのボールが右打ちの人は左目の真下にあるいは両目の真下になるように足の位置を決めアドレスを完成させボールを打つ練習をする。（左打ちの人は右目の真下になる）
しかしながら、次のボールをセットしようとすると微妙に前の位置とずれて同じ位置にセットするのに時間がかかり完成させたアドレスの感覚が崩れてしまう。
本発明は、無駄な動きをしないでアドレスの感覚を忘れないうちに容易に次打球をセットできるようにするものである。
【課題を解決するための手段】
【０００５】
上述の目的を達成する本発明のパター練習マット３は、カップ１から１ｍと２ｍのところに貫通穴２を設けたことを特徴とする。
【発明の効果】
【０００６】
本発明は、最初のボールに対してアドレスした姿勢、足の位置及び足裏に感じる体重の配分等の感覚を忘れないうちに反復練習が出来、正確なアドレスを体得することができるものである。
【図面の簡単な説明】
【０００７】
【図１】本発明の外観斜視図である。
【図２】本発明の断面図である。
【発明を実施するための形態】
【０００８】
以下、本発明の実施の形態を図面に基づき詳細に説明する。
【０００９】
図１は、外観斜視図、図２は、断面図である。
【００１０】
図１、図２に示すように、本発明は、パター練習マット３に設けてあるカップ１から1.5ｍの距離の所に２箇所、２ｍの距離の所に３箇所、貫通した穴２を設けたものである。
【００１１】
貫通穴２は、パター練習マット３の表面の形状によってスムースにボールをセットできるように、又打ち出しの抵抗が極力小さくなるように直径５ｍｍから７ｍｍの貫通穴とする。
【実施例】
【００１２】
パターの練習をしたい位置の貫通穴２に、ボールを置き、右打ちの人は左目の真下に（左打ちの人は右目真下に）、又は両目の真下にボールがくるように姿勢を整えながらカップ１に向かっての足の位置の調整を行い足裏にかかる体重の感覚を感じ取りながら、アドレスを行いパッティングをおこなう。そのアドレスを保ちながら次のボールを最初にセットした貫通穴２にすばやく置おくことが出来、同じ感覚を保ちながらパッティングを行うことができるため正確なアドレスを確実に体得できる。
【００１３】
以上、本発明の実施の形態及び実施例を説明したが、本発明の範囲はこれに限定されるものではない。
【符号の説明】
【００１４】
１  カップ
２  貫通穴
３  パター練習マット
【図１】
2017042329.tif 000003
【図２】
2017042329.tif 000004
(57)【要約】      （修正有）【課題】高分子ポリマーに雑菌が発生することを防止する方法の提供。【解決手段】高温下（１，１００℃以上）で指定時間焼成処理をすることで抗菌性が発現する貝殻の高温焼成高純度粉末を高分子ポリマーに付加混合する方法。【選択図】なし【特許請求の範囲】
【請求項１】
貝殻の高温焼成高純度粉末（貝殻の高温焼成高純度粉末で水溶液に混濁した場合いのｐＨ１２以上のアルカリ反応と飽和量を有する性能の粉のこと）を高分子ポリマーに使用する。高分子ポリマーに対して付加混合することでの抗菌環境を作り出し制御方法。
【請求項２】
貝殻の高温焼成高純度粉末（貝殻の高温焼成高純度粉末で水溶液に混濁した場合いのｐＨ１２以上のアルカリ反応と飽和量を有する性能の粉のこと）を高分子ポリマーと使用する。高分子ポリマーに対して付加混合することでの抗菌制御方法。
【請求項３】
貝殻の高温焼成高純度粉末で水溶液に混濁した場合いのｐＨ１２以上のアルカリ反応と飽和量を有する。
【請求項３】
水溶液ではなく粉体で使用するものである。
【請求項４】
無味無臭である。
【請求項５】
白色である。
【発明の詳細な説明】
【課題】
高分子ポリマーの雑菌。腐敗菌が発生する、抗菌環境を作り出して抑制する。防臭もできる。
環境に対しても負荷が低く、従来の工程に対しても簡単に付加できる方法。
【解決手段】
貝殻の高温焼成高純度粉末を使用して、高分子ポリマーに付加混合することを特徴とする抗菌制御方法。この時の要件として、貝殻の高温焼成高純度粉末で、水溶液に混濁した場合いのｐＨ１２以上のアルカリ反応と飽和量の到達が必要となる。
【発明の詳細な説明】
【技術分野】
【００１】本発明は、抗菌制御をすることができ、従来行われている製造方法に簡単に付加することができる。技術の提供。
【背景技術】
【００２】高分子ポリマーは吸水を重要しされているために、高分子ポリマーを入れる包装に抗菌性能を付与して行われている。【００３】高分子ポリマーを使用して吸水をさせることが重要であり重要視されているために抗菌性能を付与していない場合もある。
使用後に抗菌スプレー等で付与する方法。後処理で付与する場合に化学的な成分で行われる。物理的方法として、密封性の高い袋に梱包する。【００４】高分子ポリマーを入れる包装に抗菌性能を付与されていない場合においては、使用後の後工程にて処理処方をするため煩雑な工程手間がかかる。
【発明が解決しようとする課題】
【００５】本発明は高分子ポリマーに抗菌制御を従来の手順に対して付加することで、環境に優しく安全で簡単にできる手段を使用して解決した抗菌制御方法を提供することを目的とする。
【課題が解決するための手段】
【００６】この本発明は、貝殻の高温焼成高純度粉末を使用して高分子ポリマーの従来手順に対して簡単に付加することが特徴とする。高分子ポリマーの抗菌制御方法に適用される。
【発明を実施するための形態】
【００７】本発明は、貝殻の高温焼成高純度粉末を使用することで抗菌制御することである。
【００８】貝殻は粉砕、微粉砕しただけでは、抗菌活性は認められないが、高温下（１，１００℃以上）で指定時間焼成処理をすることで抗菌性が発現する。焼成後の粉に対して粉砕を施した微粉末を使用するのが好ましい。
【００９】貝殻焼成粉末の水性混濁液については、抗菌性の発現を有することは知られてはいるが、乾燥した状態での抗菌性は見逃されている。その方法として確立されていない。
【０１０】従来の製造工程に大きな影響を及ばすことなく、また、安価に提供でき、その方法を確立して提供する。
(57)【要約】【課題】賃貸である集合住宅のドアに設置しようとした場合、建物に傷が付き、原状復帰させる必要がある場合、後付けでは対応できない。【解決手段】上記課題を解決するために、動力手段であるモーターと連結したトルク増幅手段であるリンク機構を有することを特徴とする自動ドア装置を提供する。【選択図】  図１
2017025647.tif 000002
【特許請求の範囲】
【請求項１】
蝶番等で枠に取り付けて扉を開閉するようにした開き戸に設置し、
動力手段であるモーターより開閉する自動ドア装置であって、
ドア開閉のため動力伝達手段としてのアームを備え、
該動力伝達手段と、
動力手段と連結した
トルク増幅手段であるリンク機構を有し、
該動力手段の動作と連動し前記開き戸が開閉扉すること
を特徴とする自動ドア装置。
【請求項２】
前記トルク増幅手段であるリンク機構は、前記動力伝達手段であるアームとリンクが回動する回動部材で連結し、
かつ、該リンクは他端に動力手段であるモーターと連結した回動部材を備えた４節リンク機構となり、該リンクと連結する他リンクの長さにより、
両端の回動部材は小径回動部と大径回動部とで構成され、
該アームと連結した回転部が該大径回動部であることを特徴とする請求項１に記載の自動ドア装置。
【発明の詳細な説明】
【技術分野】
【０００１】
本発明は、本発明は蝶番などで枠に取り付けて開閉するようにした扉、以後開き戸と記すを自動的に開閉させる自動ドアの駆動装置に関する。
【背景技術】
【０００２】
従来、汎用されている開き戸用自動ドアは大型アームで開閉する若しくは伸縮するスライダーを備えたアームで開閉するドアが一般的である。
【先行技術文献】
【特許文献】
【０００３】
【特許文献１】特開２００８−２０８６４５号  公報
【特許文献２】特開２００３−３４３１５３号  公報
【特許文献３】特開２０００−３１４２７０号  公報
【発明の概要】
【発明が解決しようとする課題】
【０００４】
しかしながら、賃貸である集合住宅のドアに設置しようとした場合、ドアクローザーと比べ大型化され、建物に傷が付き、原状復帰させる必要がある場合、後付けで対応できない。
【課題を解決するための手段】
【０００５】
上記課題を解決するために、請求項１に記載された発明によれば、蝶番等で枠に取り付けて扉を開閉するようにした開き戸に設置し、動力手段であるモーターにより開閉する自動ドア装置であって、ドア開閉のため動力伝達手段としてのアームを備え、該動力伝達手段と、動力手段であるモーターと連結したトルク増幅手段であるリンク機構を有することを特徴とする自動ドア装置である。
動力手段であるモーターにより発生するトルクをトルク増幅手段により増幅され、通常のドアクローザー同様開き戸と連結する動力伝達手段であるアームに伝えることにより動力手段であるモーターの小型化を可能にし、従来のドアクローザー取付け孔を使用した自動ドア装置を提供している。
【０００６】
又請求項２に記載された発明によれば、動力伝達手段のアームと連結するリンクとその連結部の回転部材、該リンクと連結するリンクともう一端の動力手段であるモーターと連結した回転部材を有する4節リンク機構を備え、アーム側回転部材が大径回動部となる。
【０００７】
これによりアーム側でないモーター側回転部材は小径回動部となり、大径/小径倍トルクが増幅され、モーターの小型化が可能となり、従来のドアクローザー用シリンダーのスペースにモーター、マイコンを組込み、従来のドアクローザーケース用取付け孔を使用することができ、建物を傷付けずに取付けることが可能となる。又、固定されたドア枠取付け金具にモーター、マイコンを取付け、金具を可動部のドアに取付けても同様に小スペースで取付けることが可能である。
【図面の簡単な説明】
【０００８】
【図１】本発明の自動開き戸閉扉時の一実施例（上面視）
【図２】本発明の自動開き戸開扉時の一実施例（上面視）
【図３】従来ドアクローザーケースにモーターを取付けた場合の自動開き戸閉扉時の一実施例（上面視）
【図４】従来ドアクローザーケースにモーターを取付けた場合の自動開き戸開扉時の一実施例（上面視）
【図５】従来ドアクローザー取付け例
【図６】伸縮するスライダーを備えたアームで開閉する後付け用開き戸自動ドア取付け例
【図７】大型アームで開閉する後付け用開き戸自動ドア取付け例
【発明を実施するための形態】
【０００９】
以下本発明の実施の形態を図１〜図７に基付いて説明する。
図１において、アーム２がドアクローザーケース４と連結し、且つ、ドアクローザー4はモーター６の回動部材であるリンク８と連結しており、モーター６の回転によりリンク７を介しアーム２が回転するリンク機構を有する自動ドア装置の閉扉状態を示す。
又アーム２とリンク８の長さを比較するとアーム２が大径となり、モーター駆動部であるリンク８が増幅されている。
【００１０】
図２において、図１の自動ドア装置の開扉状態を示す。
【００１１】
図３において、従来ドアクドーザー機構にモーター６を取付けた場合を示す。従来の手動で開き戸５を開ける場合に比べ大きなトルクが必要なことが示されている。
【００１２】
図２の開扉状態を示す。
【００１３】
図５は従来ドアクローザー取付け例を示す。
【００１４】
図６はスライダーを有する従来後付け自動ドア装置取付け例を示す。開き戸接触リンクがドアの端についており高トルクが必要なことが示されている。
【００１５】
図７は大型アームを有する従来後付け自動ドア装置取付け例を示す。十分なリンク長さが必要なことが示されている。
【産業上の利用可能性】
【００１６】
集合マンションなどの重いドアの開閉扉が安易になる。特に障害者、高齢者に有効と考える。
【符号の説明】
【００１７】
１  アーム
２  アーム
３  ドア枠取付け金具
４  ドアクローザーケース（モーター、マイコンケース）
５  開き戸
６  モーター
７  リンク（節）
８  リンク（節）
１０  蝶番
【図１】
2017025647.tif 000003
【図２】
2017025647.tif 000004
【図３】
2017025647.tif 000005
【図４】
2017025647.tif 000006
【図５】
2017025647.tif 000007
【図６】
2017025647.tif 000008
【図７】
2017025647.tif 000009
(57)【要約】【課題】  これまで、広小舞の留め墨を正確に引くには、差し金の使い方の熟練の技術が必要であた。熟練度の低い作業者でも簡単に広小舞留め墨をひくことが出来る差し金の提供である。【解決手段】  差し金の短手の長さを勾股玄の股として、勾配１寸から１０寸までの玄の長さと中勾の長さを、Ｂ点より測り出し長手面に目盛り付けをした。【選択図】図３
2017025687.tif 000002
【特許請求の範囲】
【請求項１】
差し金の短手の長さを勾股玄の股として、長手面に勾配１寸から１０寸までの玄の長さと、中勾の長さの目盛りを付けた差し金。
【発明の詳細な説明】
【技術分野】
【０００１】  本発明は差し金の目盛りに関するものである。
【背景技術】
【０００２】  これまで、差し金に、広小舞留め墨目盛りの付いたものは無かった。
【発明の概要】
【発明が解決しようとする課題】
【０００３】  これまで、広小舞の留め墨を正確に引くには、差し金の使い方の熟練の技術が必要であった。熟練度の低い作業者でも簡単に広小舞留め墨を引くことの出来る差し金の提供である。
【課題を解決するための手段】
【０００４】  本発明は、差し金使用法の基本である勾股玄により、広小舞の留め墨を引く方法を考案したものである。差し金の短手の長さを股として、長手に勾配１寸から１０寸までの玄の長さをＢ点より測り出し、各点より短手の角Ｃ点に向かって直線となる目盛りを長手面に目盛り、又１寸勾配から１０寸勾配までの中勾の長さをＢ点より長手上に測り出し、それぞれの点と短手の角Ｃ点が直線となる目盛りを長手上に目盛った。
【発明の効果】
【０００５】  この差し金を使って広小舞の留め墨を引くには、屋根勾配に合った長手上の目盛りと短手の角Ｃ点とを、広小舞材の角の線Ｈに合わせるだけの行程で墨を引く事が出来るので、作業の効率が上がった。
【図面の簡単な説明】
【０００６】
【図１】  本差し金の表面図。
【図２】  本差し金の裏面図。
【図３】  本差し金の目盛りの説明図。
【図４】  上場留めの引き方の例図。
【図５】  向こう留めの引き方の例図。
【図６】  一般の差し金の内側に留め墨目盛りを付けた例。
【発明を実施するための形態】
【０００７】  図３により本発明の差し金を説明する。
短手の長さＢＣを勾股玄の股として、長手面の縁に１寸勾配から、かね勾配までの玄の長さをＢ点より測り出し、その点を１，２，３，４，５，６，７，８，９、１０とする。このそれぞれの点から短手の角Ｃ点とが直線となる目盛りを長手面ＡＧ間に目盛る。屋根勾配が４寸勾配であれば、４の目盛りとＣ点をむすぶ直線が広小舞の留め墨の上場留めとなる。又短手の長さＢＣを股として、１寸勾配から、かね勾配の中勾の長さをＢ点より、長手面の縁に１，２，３，４，５，６，７，８，９、１０  として、それぞれの点から短手の角Ｃ点とが直線となる目盛りを長手面ＢＧ間に目盛る。４寸勾配の中勾の点と短手の角Ｃ点を結ぶ直線が、広小舞の留め墨の向こう留めになる。以上の目盛りを差し金の裏面にもつける。又、図６の様に、之までの一般に使われている寸目盛りやセンチ目盛りの差し金の内側ＥＦ間に、短手のＥＤを股として玄の長さ目盛りと中勾の長さ目盛りをＥを基点として測り出して、目盛り付けしても良い。
【実施例】
【０００８】  図４に示す様に、広小舞材の上面に差し金を乗せて長手面の玄の目盛りから屋根勾配に合った目盛りを選び、その点と短手の角Ｃ点とを広小舞材の角の線Ｈに合わせて、短手に沿って線を引けば広小舞の留め墨上場留めの線が出来る。上場留めの線の端と、長手面の中勾の目盛りと、短手の角Ｃ点を、広小舞の角の線Ｈに合わせて短手の縁に沿って線を引けば、向こう留めの線となる。
【符号の説明】
【０００９】Ａ  長手の端の外側の角
Ｂ  長手と短手のぶつかる外側の角
Ｃ  短手の外側の角
Ｅ  長手と短手のぶつかる内側の角
Ｆ  長手の端の内側の角
Ｇ  短手の長さＢＣを長手面に表した点
Ｈ  広小舞の角の線
【図１】
2017025687.tif 000003
【図２】
2017025687.tif 000004
【図３】
2017025687.tif 000005
【図４】
2017025687.tif 000006
【図５】
2017025687.tif 000007
【図６】
2017025687.tif 000008
(57)【要約】【課題】  従来は現場作業が常識ですが、現場での作業時間を要するため、新しい技術が発案され試作されているが素材としては木材とコンクリートの複合材が主な様である。  主たる技術は木材加工技術ＣＬＴの応用であるが様々な技術が開発中である。【解決手段】  本加工技術は軽量化と曲げ強度及び不燃化が主たる課題である。合板の柔軟性ハニカム構造体の強度コンクリート系の不燃性及び硬度の機態を応用、組み合わせた技術で、従来は個々に応用された技術である。  特に木材及び合板類のハニカム構造体を複数重ねる技術は特に厚さの有する構造には加工しやすく軽量で工事の安全性にも優れている。【特許請求の範囲】
【請求項１】
木材、合板、コンクリート系薄板等合成強化技術
【請求項２】
木材、合板等にコンクリート系材料を塗り固定することによる強化技術
【請求項３】
木材、合板、コンクリート系材料とハニカム材の合成強化建材
【請求項４】
ハニカム材による複数層構造体の合成強化建材
【請求項５】
木材、合板等にコンクリート系部材の合成による不燃技術
【請求項６】
ハニカム空洞部分にロックウール、発泡ウレタン等など断熱材の充填及びハニカム強化剤などの充填
【発明の詳細な説明】
【技術分野】
【０００１】木材、合板等の柔軟性、コンクリート系の堅さとハニカム構造を複合することによる、強度の高い軽量の建材加工技術
【背景技術】
【０００２】従来の鉄骨、鉄筋、木造ビル工事での床下地工事の現在の工法は、生コンクリートを支える下地に鉄板を張り、鉄筋を配筋し生コンクリートを流し込んだ後、平滑に仕上げるのが一般的である。この工法では建築現場での工事に時間を要し重量も増す。又厚さ３０ｍｍくらいの木材を直角方向に複数層接着し表面にコンクリート板をさらに接着するＣＬＴ工法がある。この工法では木材の使用量が多く軽量化が困難である。
本考案は、強度、軽量、コスト面に関する技術工法である。
【発明の開示】
【発明が解決しようとする課題】
【０００３】ビルなどの建造物の軽量化による耐震性と強度が課題となっている。【０００４】木材、合板等にコンクリート系素材を複数層張り合わせ及びコンクリート系を塗り固定することにより圧縮に強い素材が形成する。【０００５】［０００４］で形成した部材でハニカム構造部材をはさみ接着することにより曲げ強度に優れた合成材になる。【０００６】合成材の使用目的によりハニカム構造体の材質を変えることにより、多様な合成体が加工できる【０００７】合成体の曲げ、強度、及び他の複数の性態強度を増す技術として、同材質及び異材質のハニカム構造体を複数重ね合わせ、接着することにより使用目的に対応できる。【０００８】［０００６］の合成体を複数合わせることにより重量が増し作業性が困難、危険なために単数の合成体を重ね合わせながら積み重ね接着することもできる。【０００９】コンクリート部材を軽量、断熱、不燃の目的のために発泡系コンクリート及びケイカル板なども表面材質として効果がある。【００１０】ハニカム構造体の強度及び断熱性、不燃性を増すために空洞部分にロックウール、発泡ウレタン、固定物質等など充填する。
【図面の簡単な説明】
【００１１】
【図１】製品の構造図
【図２】ハニカムの造形図
【図１】
2017025688.tif 000002
【図２】
2017025688.tif 000003